(57)【特許請求の範囲】
【請求項１】
制御装置と、
前記制御装置と接続される仮想時分割スイッチと、
相互に所定のネットワークを介して接続され且つ前記仮想時分割スイッチとも前記所定のネットワークを介して接続される複数の回線接続装置であって、そのそれぞれが１以上の端末を収容する複数の回線接続装置と、
前記複数の回線接続装置にそれぞれ対応する複数の個別コントロールメモリと、
前記制御装置が、前記複数の回線接続装置全体についての１つの個別コントロールメモリとして扱える集合コントロールメモリと、
を備え、
前記制御装置が、前記仮想時分割スイッチと前記所定のネットワークを介して、前記複数の回線接続装置を制御することにより、前記複数の回線接続装置の配下にある端末同士を、それらの端末が同一の回線接続装置の配下にあるか、相互に異なった回線接続装置の配下にあるかに関係なく接続し、
前記制御装置と前記仮想時分割スイッチとは、前記制御装置が前記仮想時分割スイッチも前記所定のネットワークも介さずに前記複数の回線接続装置を制御する際に用いる１つの実時分割スイッチとのインターフェース仕様を用いて接続され、
前記仮想時分割スイッチは、前記端末同士の接続のために、前記制御装置により前記集合コントロールメモリに書き込まれたデータに基づき、少なくとも１つの前記回線接続装置にそれぞれ対応する少なくとも１つの前記個別コントロールメモリに書き込まれるべきデータを求め、そのデータを前記少なくとも１つの個別コントロールメモリに書き込む手段を備えることを特徴とする端末接続システム。
【請求項２】
請求項１に記載の端末接続システムであって、
前記仮想時分割スイッチは、何れかの同一の前記回線接続装置の配下にある第１の端末と前記何れかの同一の回線接続装置の配下にある第２の端末とを接続するべきであることを、前記集合コントロールメモリに書き込まれたデータに基づき判断した場合には、前記何れかの同一の回線接続装置に対応する個別コントロールメモリに前記第１の端末と前記第２の端末とを接続するためのデータを書き込む手段を備えることを特徴とする端末接続システム。
【請求項３】
請求項１又は２に記載の端末接続システムであって、
前記仮想時分割スイッチは、第１の前記回線接続装置の配下にある第３の端末と第２の前記回線接続装置の配下にある第４の端末とを接続するべきであることを、前記集合コントロールメモリに書き込まれたデータに基づき判断した場合には、前記第１の回線接続装置に対応する個別コントロールメモリと前記第２の回線接続装置に対応する個別コントロールメモリに前記第３の端末と前記第４の端末とを接続するためのデータを書き込む手段を備えることを特徴とする端末接続システム。
【請求項４】
請求項１乃至３の何れか１に記載の端末接続システムであって、
所定のネットワークが介在しない環境下において前記制御装置が前記仮想時分割スイッチを介さずに前記複数の回線接続装置を制御する際に用いる１つの実時分割スイッチとのインターフェース仕様を用いて、前記制御装置と前記仮想時分割スイッチとが接続されることを特徴とする端末接続システム。
【請求項５】
制御装置と、
前記制御装置と接続される仮想時分割スイッチと、
相互に所定のネットワークを介して接続され且つ当該仮想時分割スイッチとも前記所定のネットワークを介して接続される複数の回線接続装置であって、そのそれぞれが１以上の端末を収容する複数の回線接続装置と、
前記複数の回線接続装置にそれぞれ対応する複数の個別コントロールメモリと、
前記制御装置が、前記複数の回線接続装置全体についての１つの個別コントロールメモリとして扱える集合コントロールメモリと、
を備え、
前記制御装置が、当該仮想時分割スイッチと所定のネットワークを介して、前記複数の回線接続装置を制御することにより、前記複数の回線接続装置の配下にある端末同士を、それらの端末が同一の回線接続装置の配下にあるか、相互に異なった回線接続装置の配下にあるかに関係なく接続する端末接続システムに含まれる仮想時分割スイッチであって、
前記制御装置と、前記制御装置が当該仮想時分割スイッチも前記所定のネットワークも介さずに前記複数の回線接続装置を制御する際に用いる１つの実時分割スイッチとのインターフェース仕様を用いて接続する手段と、
前記端末同士の接続のために、前記制御装置により前記集合コントロールメモリに書き込まれたデータに基づき、少なくとも１つの前記回線接続装置にそれぞれ対応する少なくとも１つの前記個別コントロールメモリに書き込まれるべきデータを求め、そのデータを前記少なくとも１つの個別コントロールメモリに書き込む手段と、
を備えることを特徴とする仮想時分割スイッチ。
【請求項６】
制御装置と、
前記制御装置と接続される仮想時分割スイッチと、
相互に所定のネットワークを介して接続され且つ当該仮想時分割スイッチとも前記所定のネットワークを介して接続される複数の回線接続装置であって、そのそれぞれが１以上の端末を収容する複数の回線接続装置と、
前記複数の回線接続装置にそれぞれ対応する複数の個別コントロールメモリと、
前記制御装置が、前記複数の回線接続装置全体についての１つの個別コントロールメモリとして扱える集合コントロールメモリと、
を備え、
前記制御装置が、当該仮想時分割スイッチと前記所定のネットワークを介して、前記複数の回線接続装置を制御することにより、前記複数の回線接続装置の配下にある端末同士を、それらの端末が同一の回線接続装置の配下にあるか、相互に異なった回線接続装置の配下にあるかに関係なく接続する端末接続システムに含まれる仮想時分割スイッチにより行なわれる端末接続方法であって、
前記制御装置が当該仮想時分割スイッチも前記所定のネットワークも介さずに前記複数の回線接続装置を制御する際に用いる１つの実時分割スイッチとのインターフェース仕様を用いて当該仮想時分割スイッチに接続された前記制御装置からの命令に従って、当該仮想時分割スイッチが、前記端末同士を接続するための制御を前記所定のネットワークを介して少なくとも１つの前記回線接続装置に対して行なうステップと、
当該仮想時分割スイッチが、前記端末同士の接続のために、前記制御装置により前記集合コントロールメモリに書き込まれたデータに基づき、少なくとも１つの前記回線接続装置にそれぞれ対応する少なくとも１つの前記個別コントロールメモリに書き込まれるべきデータを求め、そのデータを前記少なくとも１つの個別コントロールメモリに書き込むステップと、
を有することを特徴とする端末接続方法。
【請求項７】
制御装置と、
前記制御装置と接続される仮想時分割スイッチと、
相互に所定のネットワークを介して接続され且つ当該仮想時分割スイッチとも前記所定のネットワークを介して接続される複数の回線接続装置であって、そのそれぞれが１以上の端末を収容する複数の回線接続装置と、
前記複数の回線接続装置にそれぞれ対応する複数の個別コントロールメモリと、
前記制御装置が、前記複数の回線接続装置全体についての１つの個別コントロールメモリとして扱える集合コントロールメモリと、
を備え、
前記制御装置が、当該仮想時分割スイッチと前記所定のネットワークを介して、前記複数の回線接続装置を制御することにより、前記複数の回線接続装置の配下にある端末同士を、それらの端末が同一の回線接続装置の配下にあるか、相互に異なった回線接続装置の配下にあるかに関係なく接続する端末接続システムに含まれる仮想時分割スイッチであって、
前記制御装置と、前記制御装置が当該仮想時分割スイッチも前記所定のネットワークも介さずに前記複数の回線接続装置を制御する際に用いる１つの実時分割スイッチとのインターフェース仕様を用いて接続される仮想時分割スイッチと、
前記端末同士の接続のために、前記制御装置により前記集合コントロールメモリに書き込まれたデータに基づき、少なくとも１つの前記回線接続装置にそれぞれ対応する少なくとも１つの前記個別コントロールメモリに書き込まれるべきデータを求め、そのデータを前記少なくとも１つの個別コントロールメモリに書き込む手段と、
としてコンピュータを機能させるための仮想時分割スイッチ用プログラム。
【発明の詳細な説明】
【技術分野】
【０００１】
本発明は、端末同士を接続するための端末接続システム及びその方法、端末接続システムに含まれる仮想時分割スイッチ並びに仮想時分割スイッチ用プログラムに関する。
【背景技術】
【０００２】
図１に、ＩＰ(Internet Protocol)網を使用しないレガシー電話交換機のシステム構成を示す。このシステムでは、制御装置９００からの情報をもとに、実時分割スイッチ９０３が、一方のレガシー回線接続装置である第１のレガシー回線接続装置９０４ａ又は第２のレガシー回線接続装置９０４ｂから入力されるＰＣＭデータのタイムスロットを入れ替えて、他方のレガシー回線接続装置である第２のレガシー回線接続装置９０４ｂ又は第１のレガシー回線接続装置９０４ｂに出力することで、通話したいレガシー端末９０５ａ−ｉ（ｉ＝１、２、・・・、ｎ）とレガシー端末９０５ｂ−ｊ（ｊ＝１、２、・・・、ｍ）との音声パスを確立している。なお、図１の例では、実時分割スイッチ９０３に接続されるレガシー回線接続装置９０４の数は、２であるが、これはあくまで例示であり、一般には、実時分割スイッチ９０３に接続されるレガシー回線接続装置９０４の数は、３以上であってもよい。
【０００３】
このように、ＩＰ(Internet Protocol)ネットワークを使用しないレガシー電話交換機のシステムでは、すべてのレガシー回線接続装置９０４からのＰＣＭデータは一台の実時分割スイッチ９０３に入力されていたため、制御装置９００は一台の実時分割スイッチ９０３の動作を制御する。従って、各レガシー回線接続装置内での通話であるか、レガシー回線装置間の通話であるかを意識することなく、すべてのレガシー端末の組み合わせの通話パスを確立することができる。
【０００４】
通常のＩＰネットワークを用いた電話交換システムを図２を参照して説明する。
【０００５】
図２において、制御装置９００は、ＩＰネットワーク１２１を通して第１のレガシー回線接続装置９０４ａと、第２のレガシー回線接続装置９０４ｂを制御する。
【０００６】
第１のレガシー回線接続装置９０４ａは、レガシー端末９０５ａ−１、９０５ａ−２、・・・、９０５ａ−ｎを収容する。第１のレガシー回線接続装置９０４ａに収容されたレガシー端末９０５ａ−１、９０５ａ−２、・・・、９０５ａ−ｎは、第１の実時分割スイッチ９０３ａを使用することにより形成される通話パスを用いて相互に接続される。第１のレガシー回線接続装置９０４ａに収容されたレガシー端末９０５ａ−ｉ（ｉ＝１、２、・・・、ｎ）と第２のレガシー回線接続装置９０４ｂに収容されたレガシー端末９０５ｂ−ｊ（ｊ＝１、２、・・・、ｍ）とが通話をする際は、ＩＰネットワーク１２１で伝送されるＲＴＰ(Real-time Transport Protocol)を用いて通話パスを形成する。なお、図２の例では、ＩＰネットワーク１２１に接続される実時分割スイッチ９０３とレガシー回線接続装置９０４の組の数は、２であるが、これはあくまで例示であり、一般には、ＩＰネットワーク１２１に接続される実時分割スイッチ９０３とレガシー回線接続装置９０４の組の数は、３以上であってもよい。
【先行技術文献】
【特許文献】
【０００７】
【特許文献１】特開２０１１−１４６８４０号公報
【特許文献２】特開２００７−０１３６００号公報
【特許文献３】特開２００６−１８０３４１号公報
【特許文献４】特開平０１−１８８０９８号公報
【発明の概要】
【発明が解決しようとする課題】
【０００８】
図２に示すような、通常技術を用いてＩＰネットワーク１２１によりレガシー回線接続装置９０４間を接続するシステムでは、制御装置９００が直接ＩＰネットワーク１２１に接続されているため、制御装置９００は、複数のレガシー回線接続装置９０４を管理し、各レガシー回線接続装置９０４に対して、他のレガシー回線接続装置９０４のうちどの装置と接続するかを指示しなければいけない。
【０００９】
また、同一レガシー回線接続装置９０４内に接続されている端末９０５同士の通話のためには、それぞれのレガシー回線接続装置９０４に用意されている実時分割スイッチ９０３を用いる。これに対し、異なるレガシー回線接続装置９０４間での通話のためには、音声データの遅延を防ぐために、実時分割スイッチ９０３を中継せず、直接レガシー回線接続装置９０４同士を接続するプロトコル（ＲＴＰなど）を使用して通話パスを確立する。
【００１０】
このように、制御装置９００は、異なるレガシー回線接続装置に収容されるレガシー端末同士の通話と、同じレガシー回線接続装置内のレガシー端末同士の通話で制御方法が大きくことなるため、制御が複雑になってしまう。また、制御装置９００から見ると、複数の実時分割スイッチ９０３をＩＰネットワーク１２１の先に持つことになるため、通常の一台の実時分割スイッチ９０３を用いての制御方法が使用できず、通常のそのような制御方法のための既存のソフトウェア資産を活用できない。
【００１１】
なお、特許文献１、特許文献２、特許文献３には、ＩＰネットワークに接続されたレガシー回線接続装置を制御する電話交換システムが記載されており、特許文献２、特許文献４には、同一のレガシー回線接続装置の配下にある端末同士を接続するために時分割スイッチに対して接続指示を出す技術が記載されている。しかし、特許文献１乃至４には、制御装置が、相互に異なる回線接続装置の配下にある端末同士を、同一の回線接続装置の配下にある接続同士を接続する場合と同様な方法で、接続する技術に関する記載も示唆もない。
【００１２】
本発明は上記の点に鑑みてなされたものであり、複数のレガシー回線接続装置を接続した上で、同一のレガシー回線接続装置に収容されるレガシー端末同士のみならず、異なったレガシー回線接続装置に収容されるレガシー端末同士を接続するために、制御装置が、複数のレガシー回線接続装置を制御する際に、制御装置から見た制御先を１台の実時分割スイッチにするための、端末接続システム及びその方法、端末接続システムに含まれる仮想時分割スイッチ並びに仮想時分割スイッチ用プログラムを提供することを目的とする。
【課題を解決するための手段】
【００１３】
本発明によれば、制御装置と、前記制御装置と接続される仮想時分割スイッチと、相互に所定のネットワークを介して接続され且つ前記仮想時分割スイッチとも前記所定のネットワークを介して接続される複数の回線接続装置であって、そのそれぞれが１以上の端末を収容する複数の回線接続装置と、前記複数の回線接続装置にそれぞれ対応する複数の個別コントロールメモリと、前記制御装置が、前記複数の回線接続装置全体についての１つの個別コントロールメモリとして扱える集合コントロールメモリと、を備え、前記制御装置が、前記仮想時分割スイッチと前記所定のネットワークを介して、前記複数の回線接続装置を制御することにより、前記複数の回線接続装置の配下にある端末同士を、それらの端末が同一の回線接続装置の配下にあるか、相互に異なった回線接続装置の配下にあるかに関係なく接続し、前記制御装置と前記仮想時分割スイッチとは、前記制御装置が前記仮想時分割スイッチも前記所定のネットワークも介さずに前記複数の回線接続装置を制御する際に用いる１つの実時分割スイッチとのインターフェース仕様を用いて接続され、前記仮想時分割スイッチは、前記端末同士の接続のために、前記制御装置により前記集合コントロールメモリに書き込まれたデータに基づき、少なくとも１つの前記回線接続装置にそれぞれ対応する少なくとも１つの前記個別コントロールメモリに書き込まれるべきデータを求め、そのデータを前記少なくとも１つの個別コントロールメモリに書き込む手段を備えることを特徴とする端末接続システムが提供される。
【００１４】
また、本発明によれば、制御装置と、前記制御装置と接続される仮想時分割スイッチと、相互に所定のネットワークを介して接続され且つ当該仮想時分割スイッチとも前記所定のネットワークを介して接続される複数の回線接続装置であって、そのそれぞれが１以上の端末を収容する複数の回線接続装置と、前記複数の回線接続装置にそれぞれ対応する複数の個別コントロールメモリと、前記制御装置が、前記複数の回線接続装置全体についての１つの個別コントロールメモリとして扱える集合コントロールメモリと、を備え、前記制御装置が、当該仮想時分割スイッチと所定のネットワークを介して、前記複数の回線接続装置を制御することにより、前記複数の回線接続装置の配下にある端末同士を、それらの端末が同一の回線接続装置の配下にあるか、相互に異なった回線接続装置の配下にあるかに関係なく接続する端末接続システムに含まれる仮想時分割スイッチであって、前記制御装置と、前記制御装置が当該仮想時分割スイッチも前記所定のネットワークも介さずに前記複数の回線接続装置を制御する際に用いる１つの実時分割スイッチとのインターフェース仕様を用いて接続する手段と、前記端末同士の接続のために、前記制御装置により前記集合コントロールメモリに書き込まれたデータに基づき、少なくとも１つの前記回線接続装置にそれぞれ対応する少なくとも１つの前記個別コントロールメモリに書き込まれるべきデータを求め、そのデータを前記少なくとも１つの個別コントロールメモリに書き込む手段と、を備えることを特徴とする仮想時分割スイッチが提供される。
【００１５】
更に、本発明によれば、制御装置と、前記制御装置と接続される仮想時分割スイッチと、相互に所定のネットワークを介して接続され且つ当該仮想時分割スイッチとも前記所定のネットワークを介して接続される複数の回線接続装置であって、そのそれぞれが１以上の端末を収容する複数の回線接続装置と、前記複数の回線接続装置にそれぞれ対応する複数の個別コントロールメモリと、前記制御装置が、前記複数の回線接続装置全体についての１つの個別コントロールメモリとして扱える集合コントロールメモリと、を備え、前記制御装置が、当該仮想時分割スイッチと前記所定のネットワークを介して、前記複数の回線接続装置を制御することにより、前記複数の回線接続装置の配下にある端末同士を、それらの端末が同一の回線接続装置の配下にあるか、相互に異なった回線接続装置の配下にあるかに関係なく接続する端末接続システムに含まれる仮想時分割スイッチにより行なわれる端末接続方法であって、前記制御装置が当該仮想時分割スイッチも前記所定のネットワークも介さずに前記複数の回線接続装置を制御する際に用いる１つの実時分割スイッチとのインターフェース仕様を用いて当該仮想時分割スイッチに接続された前記制御装置からの命令に従って、当該仮想時分割スイッチが、前記端末同士を接続するための制御を前記所定のネットワークを介して少なくとも１つの前記回線接続装置に対して行なうステップと、当該仮想時分割スイッチが、前記端末同士の接続のために、前記制御装置により前記集合コントロールメモリに書き込まれたデータに基づき、少なくとも１つの前記回線接続装置にそれぞれ対応する少なくとも１つの前記個別コントロールメモリに書き込まれるべきデータを求め、そのデータを前記少なくとも１つの個別コントロールメモリに書き込むステップと、を有することを特徴とする端末接続方法が提供される。
【００１６】
更に、本発明によれば、制御装置と、前記制御装置と接続される仮想時分割スイッチと、相互に所定のネットワークを介して接続され且つ当該仮想時分割スイッチとも前記所定のネットワークを介して接続される複数の回線接続装置であって、そのそれぞれが１以上の端末を収容する複数の回線接続装置と、前記複数の回線接続装置にそれぞれ対応する複数の個別コントロールメモリと、前記制御装置が、前記複数の回線接続装置全体についての１つの個別コントロールメモリとして扱える集合コントロールメモリと、を備え、前記制御装置が、当該仮想時分割スイッチと前記所定のネットワークを介して、前記複数の回線接続装置を制御することにより、前記複数の回線接続装置の配下にある端末同士を、それらの端末が同一の回線接続装置の配下にあるか、相互に異なった回線接続装置の配下にあるかに関係なく接続する端末接続システムに含まれる仮想時分割スイッチであって、前記制御装置と、前記制御装置が当該仮想時分割スイッチも前記所定のネットワークも介さずに前記複数の回線接続装置を制御する際に用いる１つの実時分割スイッチとのインターフェース仕様を用いて接続される仮想時分割スイッチと、前記端末同士の接続のために、前記制御装置により前記集合コントロールメモリに書き込まれたデータに基づき、少なくとも１つの前記回線接続装置にそれぞれ対応する少なくとも１つの前記個別コントロールメモリに書き込まれるべきデータを求め、そのデータを前記少なくとも１つの個別コントロールメモリに書き込む手段と、としてコンピュータを機能させるための仮想時分割スイッチ用プログラムが提供される。
【発明の効果】
【００１７】
本発明によれば、複数のレガシー回線接続装置を接続した上で、同一のレガシー回線接続装置に収容されるレガシー端末同士のみならず、異なったレガシー回線接続装置に収容されるレガシー端末同士を接続するために、制御装置が、複数のレガシー回線接続装置を制御する際に、制御装置から見た制御先を１台の実時分割スイッチにすることができる。
【図面の簡単な説明】
【００１８】
【図１】ＩＰネットワークを使用しないレガシー電話交換機のシステム構成を示す概念図である。
【図２】ＩＰネットワークを使用したレガシー電話交換機のシステム構成を示す概念図である。
【図３】本発明の実施形態による端末接続システムの構成を示す概念図である。
【図４】本発明の実施形態による端末接続システムの構成をより詳細に示すブロック図である。
【図５】図３、図４に示す端末接続システムに含まれる、複数の個別コントロールメモリと１つの集合コントロールメモリを、それらに書き込まれるデータ例と共に示す図である。
【図６】図３、図４に示す端末接続システムに含まれる仮想時分割スイッチの動作を説明するためのフローチャートである。
【発明を実施するための形態】
【００１９】
以下、図面を参照して本発明を実施するための形態について詳細に説明する。
【００２０】
本実施形態によれば、図３に示すように、制御装置１００とＩＰネットワーク１２１との間に仮想時分割スイッチ１０１を設置する。制御装置１００は、通常の一台の実時分割スイッチとの間のソフトウェアインタフェースにより、ＩＰネットワーク１２１を介して接続されるレガシー回線接続装置１０４に収容される端末間の通話パスの確立を、それらの端末が同一のレガシー回線接続装置に収容されているのか、異なるレガシー回線接続装置に収容されているのかとは無関係に、一元管理できる。
【００２１】
本実施形態では、仮想時分割スイッチ１０１を用いることにより、制御装置１００が、複数のレガシー回線接続装置１０４間をＩＰネットワーク１２１を用いて接続した電話交換機の制御を、ＩＰネットワーク１２１を使用しない通常のレガシー電話交換機で使用されていた実時分割スイッチのソフトインタフェースのみを用いて行えることを特徴としている。
【００２２】
図３において、仮想時分割スイッチ１０１は、Ｉ／Ｏバスを介して、制御装置１００と接続され、ＩＰインタフェースを介して、ＩＰネットワーク１２１に接続されている。
【００２３】
仮想時分割スイッチ１０１の制御装置１００側のソフトウェアインタフェースは、通常の電話交換機で使用されていた実時分割スイッチのソフトウェアインタフェースと互換性を保つ。これにより、制御装置と仮想時分割スイッチとは、制御装置が複数の回線接続装置を制御する際に用いる１つの実時分割スイッチとのインターフェース仕様を用いて接続することが可能となる。
【００２４】
仮想時分割スイッチ１０１は、制御装置１００からの通常の実時分割スイッチ制御用の命令を解析し、その命令を、ＩＰネットワーク１２１に接続されたレガシー回線接続装置１０４及びそれぞれの実時分割スイッチ１０３を制御するための命令に変換する。具体的には、後述するように、制御装置１００からの通常の実時分割スイッチ制御用の命令により集合コントロールに書き込まれたデータを解析し、その解析結果に基づいて、個別コントロールメモリに書き込むべきデータを決定し、そのデータをその個別コントロールメモリに書き込むための命令を生成し、実行する。
【００２５】
このようにして、本実施形態では、仮想時分割スイッチ１０１により、通常の電話交換機で使用されていた実時分割スイッチのソフトウェアインタフェースを、制御装置１００が利用できるようにしている。従って、制御装置１００は、通常のレガシー電話交換機で使用していたソフトウェアを用いてＩＰネットワーク１２１に接続されている複数のレガシー回線接続装置等を制御できる。
【００２６】
図３を参照すると、本実施形態に従った、仮想時分割スイッチ１０１を含む端末接続システムが示されている。
【００２７】
図３を参照すると、制御装置１００は、Ｉ／Ｏ(Input/Output)バスを介して、仮想時分割スイッチ１０１と接続され、仮想時分割スイッチ１０１に対して、Ｉ／Ｏ命令のリード及びライトを行なうことで間接的に１以上のレガシー回線接続装置１０４の動作を制御する。
【００２８】
仮想時分割スイッチ１０１は、制御装置１００から受けた音声パスの接続情報（集合コントロールメモリ１１０に書き込まれる。）を解析し、その接続情報を各レガシー回線接続装置１０４に対応した命令（個別コントロールメモリ１１３への書き込み命令）に変換して、その命令を各レガシー回線接続装置１０４に出力する。
【００２９】
仮想時分割スイッチ１０１の制御装置１００側のソフトウェアインタフェースは通常の実時分割スイッチと互換性を保つ。
【００３０】
レガシー回線接続装置１０４は、アナログ端末やＩＳＤＮ(Integrated Services Digital Network)端末などのレガシー端末を収容するための装置であり、ＩＰネットワーク１２１を介して、相互に接続され更に、仮想時分割スイッチ１０１と接続される。
【００３１】
各レガシー回線接続装置１０４は、実時分割スイッチ１０３を搭載ている。同一レガシー回線接続装置１０４に収容された端末同士の間の通話パスは、そのレガシー回線接続装置１０４に搭載されている実時分割スイッチ１０３により形成される。
【００３２】
また、異なるレガシー回線接続装置１０４は、ＩＰネットワーク１２１を介して接続されており、ＲＴＰなどの音声用プロトコルを使用してＩＰネットワーク１２１を通る通話パスを確立する。
【００３３】
レガシー端末１０５は、例えば、アナログ電話機、デジタル電話機、ＩＳＤＮ端末などのＩＰインタフェースを備えていない端末であり、レガシー回線接続装置１０４に収容される。
【００３４】
図４を参照すると、図３に示す仮想時分割スイッチ１０１およびレガシー回線接続装置１０４の詳細な構成が示されている。
【００３５】
図４のレガシー回線接続装置１０４において、制御用ＩＰインタフェース１０６は、仮想時分割スイッチ１０１の制御用ＩＰインタフェース１１２と、ＩＰネットワーク１２１を通して、データの送受信を行う。
【００３６】
ＩＰ−ＰＣＭ変換回路１０７（本発明の制御部）は、ＰＣＭデータとＲＴＰパケットを相互変換（双方向変換）する。ＰＣＭデータは、ＩＰ−ＰＣＭ変換回路１０７と実時分割スイッチ１０３との間で入出力される。ＲＴＰパケットは、ＩＰネットワーク１２１を介して、他のレガシー回線接続装置１０４のＩＰ−ＰＣＭ変換回路１０７との間で入出力される。
【００３７】
実時分割スイッチ１０３は、受信したＰＣＭデータのタイムスロットを入れ替えることで各チャンネルの接続をスイッチングする。実時分割スイッチ１０３は、レガシーインタフェース１０８、ＩＰ−ＰＣＭ変換回路１０７との間で、ＰＣＭデータを送受信する。
【００３８】
レガシーインタフェース１０８は、実時分割スイッチ１０３とレガシー端末１０５との間に位置し、レガシー端末１０５からのデータをＰＣＭデータに変換し、実時分割スイッチ１０３へ送出し、更に、実時分割スイッチ１０３からのＰＣＭデータをレガシー端末１０５に対応したデータに変換し、レガシー端末１０５へ送出する役割をもつ。
【００３９】
同じレガシー回線接続装置１０４に収容されるレガシー端末１０５同士が通話する場合には、実時分割スイッチ１０３によりスイッチングを行い、通話パスを確立する。
【００４０】
相互に異なるレガシー回線接続装置１０４に収容されるレガシー端末１０５同士が通話する場合には、それぞれのレガシー回線接続装置１０４において実時分割スイッチ１０３によりレガシー端末１０５とＩＰ−ＰＣＭ変換回路１０７との間で通話パスを確立した後、その相互に異なるレガシー回線接続装置１０４のＩＰ−ＰＣＭ変換回路１０７同士が、ＩＰネットワーク１２１を介して、ＲＴＰで通信を行うことで、異なるレガシー回線接続装置１０４間の通話パスを確立する。
【００４１】
図４に示す仮想時分割スイッチ１０１において、Ｉ／Ｏバスインタフェース１０９は、自己と制御装置１００との間でデータを送受信するためのバスであり、例えば、ＰＣＩ  Ｅｘｐｒｅｓｓバス(Peripheral Components Interconnect Express Bus)など汎用的なバスで実現される。
【００４２】
集合コントロールメモリ１１０は、制御装置１００からリード、ライトされるメモリであり、ここには、レガシー端末１０５間の接続情報が格納される。
【００４３】
通常の実時分割スイッチ９０３（図１）では、レガシー回線接続装置９０４に収容されるレガシー端末９０５ごとに時分割されたチャンネルが割り当てられる。制御装置９００は、コントロールメモリ内のエントリであって、接続元の端末に対応するチャンネル（例えば、チャンネルＡ）に対応するエントリに、接続先の端末に対応するチャンネル（例えば、チャンネルＢ）に対応するエントリの識別情報を書き込むことで、チャンネルＡから入力されたＰＣＭデータをチャンネルＢに出力し、これにより接続元の端末からの信号を接続先の端末に送信することが可能となっている。
【００４４】
仮想時分割スイッチ１０１を用いたシステムにおいても、制御装置１００は、この集合コントロールメモリを制御することで、すべてのレガシー回線接続装置１０４に収容される端末同士の通話パスを制御することができる。
【００４５】
図５に、仮想時分割スイッチ１０１の集合コントロールメモリ１１０と、レガシー回線接続装置１０４に搭載される実時分割スイッチ１０３の個別コントロールメモリ１１３との関係の一例を示す。
【００４６】
個別コントロールメモリ１１３ａ、１１３ｂは、それぞれ、レガシー回線接続装置１０４ａ、ｌ０４ｂ内の実時分割スイッチ１０３ａ、１０３ｂ上のメモリである。個別コントロールメモリ１１３ａ、１１３ｂのそれぞれのチャンネルは、レガシー端末１０５又はＩＰ−ＰＣＭ変換回路１０７のために使用される。図５の例では、ｃｈ０からｃｈ５までのそれぞれに１つのレガシー端末１０５が収容され、ｃｈ６、７のそれぞれにＩＰ−ＰＣＭ変換回路１０７のそれぞれのポート番号に対応する部分が収容されている。なお、個別コントロールメモリ１１３においては、１つ１つのチャンネルは１つ１つのエントリに対応する。図５の例では、例えば、個別コントロールメモリ１１３ａのエントリを上からエントリ０、エントリ１、・・、エントリ７とすれば、エントリ０、エントリ１、・・・、エントリ７は、それぞれ、チャンネル０、チャンネル１、・・・、チャンネル７に対応する。
【００４７】
例えば、コントロールメモリ１１３ａのｃｈ０のエントリにｃｈ２という情報を書き込めば、レガシー回線接続装置１０４ａのｃｈ０のＰＣＭデータが同じレガシー回線接続装置１０４ａのｃｈ２に送出される。
【００４８】
仮想時分割スイッチ１０１の集合コントロールメモリ１１０は、システムに搭載されているすべての実時分割スイッチ１０３の個別コントロールメモリ１１３のエントリを包括している。ひとつの個別コントロールメモリ１１３のエントリ数をｎとし、レガシー回線接続装置１０４がｍ個接続されているとすると集合コントロールメモリ１１０のエントリ数はｍ×ｎとなる。また、同じ個別コントロールメモリ１１３のエントリは、集合コントロールメモリ１１０内で連続して配置される。なお、集合コントロールメモリ１１３においては、各レガシー回線接続装置１０４の１つ１つのチャンネルとは１つ１つのエントリに対応する。図５の例では、例えば、集合コントロールメモリ１１０のエントリを上からエントリ０、エントリ１、・・、エントリ７、エントリ８、エントリ９、・・・、エントリ１５とすれば、エントリ０、エントリ１、・・、エントリ７、エントリ８、エントリ９、・・・、エントリ１５は、それぞれ、（ｕｎｉｔ  ａ：チャンネル０）、（ｕｎｉｔ  ａ：チャンネル１）、・・・、（ｕｎｉｔ  ａ：チャンネル７）、（ｕｎｉｔ  ｂ：チャンネル０）、（ｕｎｉｔ  ｂ：チャンネル１）、・・・、（ｕｎｉｔ  ｂ：チャンネル７）に対応する。ここで、ｕｎｉｔ  ｘは、レガシー回線接続装置の識別情報である。
【００４９】
図５では、レガシー回線接続装置１０４が、２台ある場合の集合コントロールメモリ１１０を示している。
【００５０】
説明は一部重複するが、集合コントロールメモリ１１０では、複数のレガシー回線接続装置１０４を管理するため、ｕｎｉｔ  ａ：ｃｈ０のように、１つのエントリに、レガシー回線接続装置１０４の識別情報とチャンネルの識別情報の組を書き込む。
【００５１】
説明を補足すると、図１に示す通常技術では、「各レガシー回線接続装置内での通話であるか、レガシー回線装置間の通話であるかを意識することなく、すべてのレガシー端末の組み合わせの通話パスを確立する」という説明をした。このためには、例えば、第１のレガシー回線接続装置９０４ａの配下にあるレガシー端末９０５ａ−１を第２のレガシー回線接続装置９０４ｂの配下にあるレガシー端末９０５ｂ−２と接続するためには、実時分割スイッチ９０３にある図１に示す制御装置は、実時分割スイッチ９０３に対応するコントロールメモリの第１のレガシー回線接続装置９０４ａのレガシー端末９０５ａ−１に対応するエントリ（すなわち、レガシー端末９０５ａ−１に対応する接続装置９０４ａとチャネルの組に対応するエントリ）に、第２のレガシー回線接続装置９０４ｂのレガシー端末９０５ｂ−２のエントリ（すなわち、レガシー端末９０５ｂ−２に対応する接続装置９０４ｂとチャネルの組に対応するエントリ）の識別情報を書き込む。
【００５２】
これに対し、本実施形態では、仮想時分割スイッチ１０１が介在していて、制御装置１００は、集合コントロールメモリ１１０の接続元の端末に対応する接続装置とチャンネルの組に対応するエントリに、接続先の端末に対応する接続装置とチャンネルの組に対応するエントリの識別情報を書き込む。ここで、書き込むデータであるエントリの識別情報は、接続装置の識別情報とチャンネルの識別情報の組で表してもよい。その場合には、プログラムでは、エントリの識別情報と接続装置の識別情報とチャンネルの識別情報の組との対応関係を保持している。
【００５３】
従って、通常技術と本実施形態は、制御装置１００が、コントロールメモリの接続元の端末に対応するエントリに、接続先の端末に対応するエントリの識別情報を書き込むという点において共通する。従って、通常技術における制御装置１００と実時分割スイッチとのインターフェース仕様を用いて、制御装置１００と仮想時分割スイッチを接続することができる。
【００５４】
図４の命令変換回路１１１は、制御装置１００から集合コントロールメモリ１１０にライトされた情報をもとに、相互に接続するべき各端末に対応するエントリを解析し、その解析の結果を用いて、レガシー回線接続装置１０４を制御するための命令を生成する。
【００５５】
集合コントロールメモリ１１０において、第１の或るレガシー回線接続装置の第１の或るチャンネルに対応する第１のエントリに、第２の或るレガシー回線接続装置の識別情報と第２の或るチャンネルに対応する第２のエントリの識別情報の組が書き込まれた場合において、第１のエントリに対応する第１の或るレガシー回線接続装置と第２のエントリに対応する第２の或るレガシー回線接続装置とが同一である場合には、第１のエントリ及び第２のエントリに対応するレガシー回線接続装置１０４に搭載されている実時分割スイッチ１０３に対応する個別コントロールメモリ１１３の、集合コントロールメモリ１００の第１のエントリに対応するエントリへ、集合コントロールメモリ１００の第２のエントリに対応する情報の一部と同一の情報、すなわち、集合コントロールメモリ１００の第１のエントリに書き込まれている第２のエントリの識別情報に対応するチャンネルの識別情報、をコピーする。ここで、図５に示すように、レガシー回線接続装置１０４にとってみれば不要であるため、レガシー回線接続装置１０４自身の識別情報のコピーは省略している。
【００５６】
これにより、レガシー回線接続装置１０４の実時分割スイッチ１０３に対応する個別コントロールメモリ１１３にデータが設定され、同一レガシー回線接続装置１０４に収容されたレガシー端末１０５同士の通話パスが確立される。このときの通話パスは、レガシー端末１０５−実時分割スイッチ１０３−レガシー端末１０５となる。
【００５７】
相互に異なるレガシー回線接続装置１０４に収容されるレガシー端末同士を接続する場合には、制御装置１００は、集合コントロールメモリ１１０の２つのエントリである第３のエントリと第４のエントリに相互に整合が取れた情報を書き込む。すなわち、図５の例を用いて説明すると、レガシー回線接続装置１０４ａのチャンネル１に収容されているレガシー端末１０５とレガシー回線接続装置１０４ｂのチャンネル２に収容されているレガシー端末１０５とを接続する場合には、集合コントロールメモリ１１０のレガシー回線接続装置１０４ａのチャンネル１の組に対応する第３のエントリに、第４のエントリの識別情報（例えば、レガシー回線接続装置１０４ｂの識別情報とチャンネル２の識別情報の組）を書き込み、更に、集合コントロールメモリ１１０のレガシー回線接続装置１０４ｂのチャンネル２に対応する第４のエントリに、第３のエントリの識別情報（例えば、レガシー回線接続装置１０４ａの識別情報とチャンネル１の識別情報の組）を書き込む。
【００５８】
この結果、集合コントロールメモリ１１０において、第１の或るレガシー回線接続装置の第１の或るチャンネルに対応する第３のエントリに、第４のエントリの識別情報（例えば、第２の或るレガシー回線接続装置の識別情報と第２の或るチャンネルの識別情報の組）が書き込まれた場合において、第３のエントリに対応するレガシー回線接続装置と第４のエントリに対応するレガシー回線接続装置とが異なることとなる。また、集合コントロールメモリ１１０において、第２の或るレガシー回線接続装置の第２の或るチャンネルに対応する第４のエントリに、第３のエントリの識別情報（例えば、第１の或るレガシー回線接続装置の識別情報と第１の或るチャンネルの識別情報の組）が書き込まれた場合において、第４のエントリに対応するレガシー回線接続装置と第３のエントリに対応するレガシー回線接続装置とが異なることとなる。
【００５９】
このような場合には、集合コントロールメモリ１１０の上記の整合の取れた２つのエントリに含まれる第１のエントリについて、集合コントロールメモリ１１０の第１のエントリに対応するレガシー回線接続装置１０４に搭載されている実時分割スイッチ１０３に対応する個別コントロールメモリ１１３の、集合コントロールメモリ１００の第１のエントリに対応するチャンネルが割当てられているエントリへ、ＩＰ−ＰＣＭ変換回路１０７が割当てられている１以上のエントリのうち１つのエントリの識別情報（例えば、そのエントリに割当てられているチャンネルの識別情報）を書き込む。これにより、レガシー端末１０５は実時分割スイッチ１０３を通してＩＰ−ＰＣＭ変換回路１０７に接続される。同様に、集合コントロールメモリ１１０の上記の整合の取れた２つのエントリに含まれる第２のエントリについて、集合コントロールメモリ１１０の第２のエントリに対応するレガシー回線接続装置１０４に搭載されている実時分割スイッチ１０３に対応する個別コントロールメモリ１１３の、集合コントロールメモリ１００の第２のエントリに対応するチャンネルが割当てられているエントリへ、ＩＰ−ＰＣＭ変換回路１０７が割当てられている１以上のエントリのうち１つのエントリの識別情報（例えば、そのエントリに割当てられているチャンネルの識別情報）を書き込む。ここで、整合の取れた２つのエントリに含まれる各書込先エントリについてのこれらの書込みによりその識別情報が書き込まれた２つのエントリに割当てられているチャンネルは、相互に、２つのレガシー回線接続装置１０４のそれぞれのＩＰ−ＰＣＭ変換回路１０７の間でＩＰネットワーク１２１を介して接続されるものとする。この接続は、例えば、相手側のＩＰアドレスと相手側のポート番号を特定することにより可能となる。
【００６０】
その後、制御装置１００は、各レガシー回線接続装置１０４のＩＰ−ＰＣＭ変換回路１０７に対して、仮想時分割スイッチ１０１の制御用ＩＰインタフェース１１２とそのレガシー回線接続装置１０４の制御用ＩＰインタフェース１０６を介して、設定を行なう。この設定では、各レガシー回線接続装置１０４のＩＰ−ＰＣＭ変換回路１０７が、他のレガシー回線接続装置１０４のＩＰ−ＰＣＭ変換回路１０７と通信を行えるようにする。上述したことと説明の一部が重複するが、具体的には、例えば、各レガシー回線接続装置１０４のＩＰ−ＰＣＭ変換回路１０７の各チャンネルについて、相手側のＩＰアドレスと相手側のポート番号を設定する。
【００６１】
これにより、例えば、（レガシー端末１０５ａ）−（ＩＰ−ＰＣＭ変換回路１０７ａ）−（ＩＰ網１２１）−（ＩＰ−ＰＣＭ変換回路１０７ｂ）−（レガシー端末１０５ｂ）の通話パスが確立される。
【００６２】
以上詳細に実施例の構成を述べたが、図４の実時分割スイッチ１０３ａ、１０３ｂ、Ｉ／Ｏバスインタフェース１０９として用いるＰＣＩ  Ｅｘｐｒｅｓｓバス、制御用ＩＰインタフェース１０６ａ、１０６ｂ、１１２、ＩＰ−ＰＣＭ変換回路１０７ａ、１０７ｂは、当業者にとってよく知られており、また本発明とは直接関係しないので、その詳細な構成は省略する。
【００６３】
次に、図４にそのブロック図を示す仮想時分割スイッチ１０１の動作を図６に示すタイムチャートを使用して説明する。
【００６４】
通話の全体的な流れは一般的に知られているため、本発明に関連する部分のタイムチャートのみ示す。
【００６５】
図４に示すレガシー端末１０５ｂが１０５ｃに接続する場合と、レガシー端末１０５ａが１０５ｂが接続する場合に分けて説明する。なお、ここで、便宜的に、レガシー端末１０５ａ−ｉをレガシー端末１０５ａ、レガシー端末１０５ｂ−ｊをレガシー端末１０５ｂ、レガシー端末１０５ｂ−ｋをレガシー端末１０５ｃとしている。
【００６６】
図５に示すように、レガシー端末１０５ｂと１０５ｃがレガシー回線接続装置１０４ｂのチャンネル４、５にそれぞれ収容されているとする。また、ＩＰ−ＰＣＭ変換回路１０７は、チャンネル６及びチャンネル７に収容されているとする。
【００６７】
まず、レガシー端末１０５ｂと１０５ｃを接続する場合について説明する。
【００６８】
制御装置１００は、レガシー端末１０５ｂから接続先がレガシー端末１０５ｃという情報を入手する(ステップＳ１００）。
【００６９】
図５に示すように、仮想時分割スイッチ１０１にある集合コントロールメモリ１１０のｕｎｉｔ  ｂ（レガシー回線接続装置１０４ｂに対応する。）のｃｈ４（レガシー端末１０５ｂに対応する。）に対応するエントリ３００に、接続先のレガシー回線接続装置１０４ｂのチャンネル５（レガシー端末１０５ｃに対応する。）を意味するｕｎｉｔ  ｂ：ｃｈ５という値を書き込む。
【００７０】
また、同様に、仮想時分割スイッチ１０１にある集合コントロールメモリ１１０のｕｎｉｔ  ｂ（レガシー回線接続装置１０４ｂに対応する。）のｃｈ５（レガシー端末１０５ｃに対応する。）に対応するエントリ３０１にも、接続元のレガシー回線接続装置１０４ｂのチャンネル４（レガシー端末１０５ｂに対応する。）を意味するｕｎｉｔ  ｂ：ｃｈ４という値を書き込む（ステップＳ１０１）。
【００７１】
仮想時分割スイッチ１０１の命令変換回路１１１は、ステップＳ１０１でデータが書き込まれた２つのエントリ３００、３０１の内容を調べる。ここでは、両方のエントリのデータにｕｎｉｔ  ｂが含まれているため、接続元と接続先とが同じレガシー回線接続装置１０４ｂの配下にあることを検出する（ステップＳ１０２）。
【００７２】
命令変換回路１１１は、仮想時分割スイッチ１０１の制御用ＩＰインタフェース１１２と、レガシー回線接続装置１０４ｂの制御用ＩＰインタフェース１０６ｂを通して、レガシー回線接続装置１０４ｂの実時分割スイッチ１０３ｂに対応するコントロールメモリ１１３ｂのｃｈ４に対応するエントリ３１０にｃｈ５を書き込み、そのコントロールメモリ１１３ｂのｃｈ５に対応するエントリ３１１にｃｈ４を書き込む（ステップＳ１０３）。
【００７３】
実時分割スイッチ１０３ｂが、コントロールメモリ１１３ｂのステップＳ１０３で書き込みのあったエントリに書き込まれているチャンネルの値に従い、チャンネルｃｈ４にチャンネルｃｈ５のＰＣＭデータを送出し、また、チャンネルｃｈ５にチャンネルｃｈ４のＰＣＭデータを送出することで、レガシー端末１０５ｂと１０５ｃの接続が確立される（ステップＳ１０４）。
【００７４】
なお、上記の説明では、ステップＳ１０１で、仮想時分割スイッチ１０１にある集合コントロールメモリ１１０のｕｎｉｔ  ｂのｃｈ４に対応するエントリ３００に、接続先のレガシー回線接続装置１０４ｂのチャンネル５を意味するｕｎｉｔ  ｂ：ｃｈ５という値を書き込み、更に、仮想時分割スイッチ１０１にある集合コントロールメモリ１１０のｕｎｉｔ  ｂのｃｈ５に対応するエントリ３０１にも、接続元のレガシー回線接続装置１０４ｂのチャンネル４を意味するｕｎｉｔ  ｂ：ｃｈ４という値を書き込むこととしている。ここで、仮想時分割スイッチ１０１にある集合コントロールメモリ１１０のｕｎｉｔ  ｂのｃｈ４に対応するエントリ３００に、接続先のレガシー回線接続装置１０４ｂのチャンネル５を意味するｕｎｉｔ  ｂ：ｃｈ５という値を書き込むだけでも、ｕｎｉｔ  ｂのｃｈ４と、ｕｎｉｔ  ｂのｃｈ５とを接続するべきであることを示すことができる。同様に、仮想時分割スイッチ１０１にある集合コントロールメモリ１１０のｕｎｉｔ  ｂのｃｈ５に対応するエントリ３０１に、接続先のレガシー回線接続装置１０４ｂのチャンネル４を意味するｕｎｉｔ  ｂ：ｃｈ４という値を書き込むだけでも、ｕｎｉｔ  ｂのｃｈ４と、ｕｎｉｔ  ｂのｃｈ５とを接続するべきであることを示すことができる。従って、何れか一方の書き込みを省略してもよい。この場合には、必要に応じて、第１のエントリに第２のエントリの識別情報が書き込まれていることに基づいて、第１のエントリと第２のエントリとが対応付けられていることを認識するための動作のみならず、第２のエントリの識別情報が書き込まれているエントリを探し、それが第１のエントリであることに基づいて、第１のエントリと第２のエントリとが対応付けられている事を認識するための動作を導入する。
【００７５】
また、上記の説明では、ステップＳ１０３では、レガシー回線接続装置１０４ｂの実時分割スイッチ１０３ｂに対応するコントロールメモリ１１３ｂのｃｈ４に対応するエントリ３１０にｃｈ５を書き込み、そのコントロールメモリ１１３ｂのｃｈ５に対応するエントリ３１１にｃｈ４を書き込むこととしている。ここで、コントロールメモリ１１３ｂのｃｈ４に対応するエントリ３１０にｃｈ５を書き込むだけでも、ｕｎｉｔ  ｂのｃｈ４と、ｕｎｉｔ  ｂのｃｈ５とを接続するべきであることを示すことができる。同様に、コントロールメモリ１１３ｂのｃｈ５に対応するエントリ３１０にｃｈ４を書き込むだけでも、ｕｎｉｔ  ｂのｃｈ４と、ｕｎｉｔ  ｂのｃｈ５とを接続するべきであることを示すことができる。従って、何れか一方の書き込みを省略してもよい。この場合には、必要に応じて、第１のエントリに第２のエントリの識別情報が書き込まれていることに基づいて、第１のエントリと第２のエントリとが対応付けられていることを認識するための動作のみならず、第２のエントリの識別情報が書き込まれているエントリを探し、それが第１のエントリであることに基づいて、第１のエントリと第２のエントリとが対応付けられている事を認識するための動作を導入する。
【００７６】
次に、レガシー端末１０５ａと１０５ｂを接続する場合について説明する。
【００７７】
図５において符号３０２、３０３でそれぞれ示すように、レガシー端末１０５ａは、レガシー回線接続装置１０４ａのｃｈ１に（符号３０２）、レガシー端末１０５ｂは、レガシー回線接続装置１０４ｂのｃｈ２に（符号３０３）、収容されているとする。ＩＰ−ＰＣＭ変換回路１０７は、両レガシー回線接続装置１０４ａ、１０４ｂの双方において、チャンネル６及びチャンネル７に収容されているとする。
【００７８】
制御装置１００は、レガシー端末１０５ａから接続先がレガシー端末１０５ｂという情報を入手する(ステップＳ１００）。
【００７９】
図５に示すように、仮想時分割スイッチ１０１にある集合コントロールメモリ１１０のｕｎｉｔ  ａ（レガシー回線接続装置１０４ａに対応する。）のｃｈ１（レガシー端末１０５ａに対応する。）に対応するエントリ３０２に、接続先のレガシー回線接続装置１０４ｂのチャンネル２（レガシー端末１０５ｂに対応する。）を意味するｕｎｉｔ  ｂ：ｃｈ２という値を書き込む。
【００８０】
また、同様に、ｕｎｉｔ  ｂ（レガシー回線接続装置１０４ｂに対応する。）のｃｈ２（レガシー端末１０５ｂに対応する）に対応するエントリ３０３にも、接続元のレガシー回線接続装置１０４ａのチャンネル１（レガシー端末１０５ａに対応する。）を意味するｕｎｉｔ  ａ：ｃｈ１を書き込む（ステップＳ１０１）。
【００８１】
仮想時分割スイッチ１０１の命令変換回路１１１は、ステップＳ１０１でデータが書き込まれた２つのエントリの内容を調べる。ここでは、一方のエントリのデータにｕｎｉｔ  ａが含まれ、他方のエントリのデータにｕｎｉｔ  ｂが含まれているため、接続元と接続先とが、それぞれ、相互に異なるレガシー回線接続装置１０４ａとレガシー回線接続装置１０４ｂの配下にあることを検出する（Ｓ１０２）。
【００８２】
命令変換回路１１１は、仮想時分割スイッチ１０１の制御用ＩＰインタフェース１１２と、レガシー回線接続装置１０４ａの制御用ＩＰインタフェース１０６ａを通して、レガシー回線接続装置１０４ａの実時分割スイッチ１０３ａに対応する個別コントロールメモリ１１３ａのｃｈ１に対応するエントリ３１２に、レガシー回線接続装置１０４ａのＩＰ−ＰＣＭ変換回路１０７ａが割り当てられているチャンネルｃｈ６を書き込み、更に、レガシー回線接続装置１０４ａの実時分割スイッチ１０３ａに対応する個別コントロールメモリ１１３ａのレガシー回線接続装置１０４ａのＩＰ−ＰＣＭ変換回路１０７ａが割り当てられているチャンネルｃｈ６に対応するエントリ３１３に、レガシー回線接続装置１０４ａのチャネルｃｈ１を書き込む。
【００８３】
また、命令変換回路１１１は、仮想時分割スイッチ１０１の制御用ＩＰインタフェース１１２と、レガシー回線接続装置１０４ｂの制御用ＩＰインタフェース１０６ｂを通して、レガシー回線接続装置１０４ｂの実時分割スイッチ１０３ｂに対応する個別コントロールメモリ１１３ｂのｃｈ２に対応するエントリ３１４に、レガシー回線接続装置１０４ｂのＩＰ−ＰＣＭ変換回路１０７ｂが割り当てられているチャンネルｃｈ６を書き込み、更に、レガシー回線接続装置１０４ｂの実時分割スイッチ１０３ｂに対応する個別コントロールメモリ１１３ｂのレガシー回線接続装置１０４ｂのＩＰ−ＰＣＭ変換回路１０７ｂが割り当てられているチャンネルｃｈ６に対応するエントリ３１５に、レガシー回線接続装置１０ｂａのチャネルｃｈ２を書き込む（ステップＳ１０５）。
【００８４】
これにより、レガシー回線接続装置１０４ａのＩＰ−ＰＣＭ変換回路１０７ａとレガシー端末１０５ａがＰＣＭ接続され、同様に、レガシー回線接続装置１０４ｂのＩＰ−ＰＣＭ変換回路１０７ｂとレガシー端末１０５ｂがＰＣＭ接続される。
【００８５】
命令変換回路１１１は、仮想時分割スイッチ１０１の制御用ＩＰインタフェース１１２と、レガシー回線接続装置１０４ａの制御用ＩＰインタフェース１０６ａを通して、レガシー回線接続装置１０４ａのＩＰ−ＰＣＭ変換回路１０７ａに、ＲＴＰを使用してＩＰ−ＰＣＭ変換回路１０７ａとＩＰ−ＰＣＭ変換回路１０７ｂとを接続するための設定を行う。同様に、命令変換回路１１１は、仮想時分割スイッチ１０１の制御用ＩＰインタフェース１１２と、レガシー回線接続装置１０４ｂの制御用ＩＰインタフェース１０６ｂを通して、レガシー回線接続装置１０４ｂのＩＰ−ＰＣＭ変換回路１０７ｂに、ＲＴＰを使用してＩＰ−ＰＣＭ変換回路１０７ａとＩＰ−ＰＣＭ変換回路１０７ｂとを接続するための設定を行う（ステップＳ１０６）。
【００８６】
ＩＰ−ＰＣＭ変換回路１０７ａとＩＰ−ＰＣＭ変換回路１０７ｂとがＲＴＰで接続されると、レガシー端末１０５ａとレガシー端末１０５ｂの間には、ＰＣＭ−ＲＴＰ−ＰＣＭという音声データ形式の接続が確立される（ステップＳ１０７）。ここで、「ＰＣＭ−ＲＴＰ−ＰＣＭ」は、レガシー端末１０５ａから出力された音声データがＰＣＭデータとなり、それからＲＴＰパケットにパケット化され、ＩＰネットワーク１２１を通り、それからＲＴＰパケットが解除されて、ＰＣＭデータに戻り、レガシー端末１０５ｂに入力されることを示す。
【００８７】
なお、上記の説明では、ステップＳ１０１で、仮想時分割スイッチ１０１にある集合コントロールメモリ１１０のｕｎｉｔ  ａのｃｈ１に対応するエントリ３０２に、接続先のレガシー回線接続装置１０４ｂのチャンネル２を意味するｕｎｉｔ  ｂ：ｃｈ２という値を書き込み、更に、仮想時分割スイッチ１０１にある集合コントロールメモリ１１０のｕｎｉｔ  ｂのｃｈ２に対応するエントリ３０３にも、接続元のレガシー回線接続装置１０４ａのチャンネル１を意味するｕｎｉｔ  ａ：ｃｈ１という値を書き込むこととしている。ここで、仮想時分割スイッチ１０１にある集合コントロールメモリ１１０のｕｎｉｔ  ａのｃｈ１に対応するエントリ３０２に、接続先のレガシー回線接続装置１０４ｂのチャンネル２を意味するｕｎｉｔ  ｂ：ｃｈ２という値を書き込むだけでも、ｕｎｉｔ  ａのｃｈ１と、ｕｎｉｔ  ｂのｃｈ２とを接続するべきであることを示すことができる。同様に、仮想時分割スイッチ１０１にある集合コントロールメモリ１１０のｕｎｉｔ  ｂのｃｈ２に対応するエントリ３０３に、接続先のレガシー回線接続装置１０４ａのチャンネル１を意味するｕｎｉｔ  ａ：ｃｈ１という値を書き込むだけでも、ｕｎｉｔ  ａのｃｈ１と、ｕｎｉｔ  ｂのｃｈ２とを接続するべきであることを示すことができる。従って、何れか一方の書き込みを省略してもよい。この場合には、必要に応じて、第１のエントリに第２のエントリの識別情報が書き込まれていることに基づいて、第１のエントリと第２のエントリとが対応付けられていることを認識するための動作のみならず、第２のエントリの識別情報が書き込まれているエントリを探し、それが第１のエントリであることに基づいて、第１のエントリと第２のエントリとが対応付けられている事を認識するための動作を導入する。
【００８８】
また、上記の説明では、ステップＳ１０３では、レガシー回線接続装置１０４ａの実時分割スイッチ１０３ａに対応するコントロールメモリ１１３ａのｃｈ１に対応するエントリ３１２にｃｈ６を書き込み、そのコントロールメモリ１１３ａのｃｈ６に対応するエントリ３１３にｃｈ１を書き込むこととしている。ここで、コントロールメモリ１１３ａのｃｈ１に対応するエントリ３１２にｃｈ６を書き込むだけでも、ｕｎｉｔ  ａのｃｈ１と、ｕｎｉｔ  ａのｃｈ６とを接続するべきであることを示すことができる。同様に、コントロールメモリ１１３ａのｃｈ６に対応するエントリ３１３にｃｈ１を書き込むだけでも、ｕｎｉｔ  ａのｃｈ１と、ｕｎｉｔ  ａのｃｈ６とを接続するべきであることを示すことができる。従って、何れか一方の書き込みを省略してもよい。この場合には、必要に応じて、第１のエントリに第２のエントリの識別情報が書き込まれていることに基づいて、第１のエントリと第２のエントリとが対応付けられていることを認識するための動作のみならず、第２のエントリの識別情報が書き込まれているエントリを探し、それが第１のエントリであることに基づいて、第１のエントリと第２のエントリとが対応付けられている事を認識するための動作を導入する。
【００８９】
更に、上記の説明では、ステップＳ１０３では、レガシー回線接続装置１０４ｂの実時分割スイッチ１０３ｂに対応するコントロールメモリ１１３ｂのｃｈ２に対応するエントリ３１４にｃｈ６を書き込み、そのコントロールメモリ１１３ｂのｃｈ６に対応するエントリ３１４にｃｈ２を書き込むこととしている。ここで、コントロールメモリ１１３ｂのｃｈ２に対応するエントリ３１４にｃｈ６を書き込むだけでも、ｕｎｉｔ  ｂのｃｈ２と、ｕｎｉｔ  ｂのｃｈ６とを接続するべきであることを示すことができる。同様に、コントロールメモリ１１３ｂのｃｈ６に対応するエントリ３１５にｃｈ２を書き込むだけでも、ｕｎｉｔ  ｂのｃｈ２と、ｕｎｉｔ  ｂのｃｈ６とを接続するべきであることを示すことができる。従って、何れか一方の書き込みを省略してもよい。この場合には、必要に応じて、第１のエントリに第２のエントリの識別情報が書き込まれていることに基づいて、第１のエントリと第２のエントリとが対応付けられていることを認識するための動作のみならず、第２のエントリの識別情報が書き込まれているエントリを探し、それが第１のエントリであることに基づいて、第１のエントリと第２のエントリとが対応付けられている事を認識するための動作を導入する。
【００９０】
更に、上記の説明では、制御装置が直接的に実時分割スイッチを用いることによっては複数のレガシー回線接続装置を制御することができない場合の例として、制御装置と複数のレガシー回線接続装置との間にＩＰネットワークが介在する場合を取り上げたが、他の例として、制御装置と複数のレガシー回線接続装置との間に他の種類のネットワークが介在する場合にも本発明を適用することができる。すなわち、本発明は、制御装置が直接的に実時分割スイッチを用いることによっては複数のレガシー回線接続装置を制御することができない場合において、実時分割スイッチの代わりとして仮想時分割スイッチを導入するものである。
【００９１】
更に、上記の説明では、相互に接続するべき端末や相互に接続する端末と通信部とを、それらに対応するエントリとエントリとの関連づけにより、表すこととしていたが、その代わりに、コネクション識別情報を導入し、その識別情報により特定されるコネクションにエントリを関連づけるようにしても、相互に接続するべき端末や相互に接続する端末と通信部とを表すことができる。
【００９２】
以上説明したように、本実施形態においては、以下に記載するような効果が奏される。
【００９３】
第１の効果は、仮想時分割スイッチが実時分割スイッチのソフトウェアインタフェースを制御装置のソフトウェアに提供しているので、制御装置の既存のソフトウェア資産を活用できることである。
【００９４】
第２の効果は、レガシー端末同士の接続に関する処理を仮想時分割スイッチが実行しているので、制御装置の処理能力を節約できることである。
【００９５】
なお、上記の仮想時分割スイッチは、ハードウェア、ソフトウェア又はこれらの組合わせにより実現することができる。また、上記の仮想時分割スイッチにより行なわれる端末接続方法も、ハードウェア、ソフトウェア又はこれらに組合わせにより実現することができる。ここで、ソフトウェアによって実現されるとは、コンピュータがプログラムを読み込んで実行することにより実現されることを意味する。
【００９６】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ (Read Only Memory)、ＣＤ−Ｒ、ＣＤ−Ｒ／Ｗ、半導体メモリ（例えば、マスクＲＯＭ、ＰＲＯＭ (Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９７】
上記の実施形態の一部又は全部は、以下の付記のようにも記載されうるが、以下には限られない。
【００９８】
（付記１）
制御装置と、
前記制御装置と接続される仮想時分割スイッチと、
相互に接続され且つ前記仮想時分割スイッチとも接続される複数の回線接続装置であって、そのそれぞれが１以上の端末を収容する複数の回線接続装置と、
を備え、
前記制御装置が、前記仮想時分割スイッチと所定のネットワークを介して、前記複数の回線接続装置を制御することにより、前記複数の回線接続装置の配下にある端末同士を、それらの端末が同一の回線接続装置の配下にあるか、相互に異なった回線接続装置の配下にあるかに関係なく接続し、
前記制御装置と前記仮想時分割スイッチとは、前記制御装置が前記仮想時分割スイッチも前記所定のネットワークも介さずに前記複数の回線接続装置を制御する際に用いる１つの実時分割スイッチとのインターフェース仕様を用いて接続されることを特徴とする端末接続システム。
【００９９】
（付記２）
付記１に記載の端末接続システムであって、
前記複数の回線接続装置にそれぞれ対応する複数の個別コントロールメモリと、
前記制御装置が、前記複数の回線接続装置全体についての１つの個別コントロールメモリとして扱える集合コントロールメモリと、
を更に備え、
前記仮想時分割スイッチは、前記端末同士の接続のために、前記制御装置により前記集合コントロールメモリに書き込まれたデータに基づき、少なくとも１つの前記回線接続装置にそれぞれ対応する少なくとも１つの前記個別コントロールメモリに書き込まれるべきデータを求め、そのデータを前記少なくとも１つの個別コントロールメモリに書き込む手段を備えることを特徴とする端末接続システム。
【０１００】
（付記３）
付記２に記載の端末接続システムであって、
前記仮想時分割スイッチは、何れかの同一の前記回線接続装置の配下にある第１の端末と前記何れかの同一の回線接続装置の配下にある第２の端末とを接続するべきであることを、前記集合コントロールメモリに書き込まれたデータに基づき判断した場合には、前記何れかの同一の回線接続装置に対応する個別コントロールメモリに前記第１の端末と前記第２の端末とを接続するためのデータを書き込む手段を備えることを特徴とする端末接続システム。
【０１０１】
（付記４）
付記３に記載の端末接続システムであって、
前記仮想時分割スイッチは、
前記集合コントロールメモリの前記第１の端末に対応するエントリに前記第２の端末に対応するエントリの識別情報が書き込まれていて、及び／又は、前記集合コントロールメモリの前記第２の端末に対応するエントリに前記第１の端末に対応するエントリの識別情報が書き込まれていて、且つ、
前記集合コントールメモリの前記第１の端末に対応するエントリに対応する前記回線接続装置の識別情報と、前記集合コントロールメモリの前記第２の端末に対応するエントリに対応する前記回線接続装置の識別情報とが同一である場合に、
その識別情報により示される接続装置を前記何れかの同一の前記回線接続装置とし、該同一の回線接続装置の配下にある第１の端末と前記同一の回線接続装置の配下にある第２の端末とを接続するべきであると判断する手段を備えることを特徴とする端末接続システム。
【０１０２】
（付記５）
付記３又は４に記載の端末接続システムであって、
前記第１の端末と前記第２の端末とを接続するためのデータは、前記何れかの同一の回線接続装置に対応する個別コントロールメモリの前記第１の端末に対応するエントリに書き込まれる前記第２の端末に対応するエントリの識別情報、及び／又は、前記何れかの同一の回線接続装置に対応する前記個別コントロールメモリの前記第２の端末に対応するエントリに書き込まれる前記第１の端末に対応するエントリの識別情報であること特徴とする端末接続システム。
【０１０３】
（付記６）
付記２乃至５の何れか１に記載の端末接続システムであって、
前記仮想時分割スイッチは、第１の前記回線接続装置の配下にある第３の端末と第２の前記回線接続装置の配下にある第４の端末とを接続するべきであることを、前記集合コントロールメモリに書き込まれたデータに基づき判断した場合には、前記第１の回線接続装置に対応する個別コントロールメモリと前記第２の回線接続装置に対応する個別コントロールメモリに前記第３の端末と前記第４の端末とを接続するためのデータを書き込む手段を備えることを特徴とする端末接続システム。
【０１０４】
（付記７）
付記６に記載の端末接続システムであって、
前記仮想時分割スイッチは、
前記集合コントロールメモリの前記第３の端末に対応するエントリに前記第４の端末に対応するエントリの識別情報が書き込まれていて、及び／又は、前記集合コントロールメモリの前記第４の端末に対応するエントリに前記第３の端末に対応するエントリの識別情報が書き込まれていて、且つ、
前記集合コントールメモリの前記第３の端末に対応するエントリに対応する前記回線接続装置の識別情報と、前記集合コントロールメモリの前記第４の端末に対応するエントリに対応する前記回線接続装置の識別情報とが異なる場合に、
一方の識別情報により示される接続装置を前記第１の前記回線接続装置とし、他方の識別情報により示される接続装置を前記第２の前記回線接続装置とし、前記第１の前記回線接続装置の配下にある前記第３の端末と前記第２の前記回線接続装置の配下にある前記第４の端末とを接続するべきであると判断する手段を備えることを特徴とする端末接続システム。
【０１０５】
（付記８）
付記６又は７に記載の端末接続システムであって、
前記第３の端末と前記第４の端末とを接続するためのデータは、
前記第１の回線接続装置に対応する個別コントロールメモリの前記第３の端末に対応するエントリに書き込まれる、前記第１の回線接続装置に備わる通信部であって前記第２の回線接続装置と通信をするための通信部に対応するエントリの識別情報、及び／又は、前記第１の回線接続装置に対応する個別コントロールメモリの前記第１の回線接続装置に備わる通信部であって前記第２の回線接続装置と通信をするための通信部に対応するエントリに書き込まれる、前記第３の端末に対応するエントリの識別情報、及び、
前記第２の回線接続装置に対応する個別コントロールメモリの前記第４の端末に対応するエントリに書き込まれる、前記第２の回線接続装置に備わる通信部であって前記第１の回線接続装置と通信をするための通信部に対応するエントリの識別情報、及び／又は、前記第２の回線接続装置に対応する個別コントロールメモリの前記第２の回線接続装置に備わる通信部であって前記第１の回線接続装置と通信をするための通信部に対応するエントリに書き込まれる、前記第４の端末に対応するエントリの識別情報
であることを特徴とする端末接続システム。
【０１０６】
（付記９）
付記１乃至８の何れか１に記載の端末接続システムであって、
前記複数の回線接続装置は相互に所定のネットワークを介して接続され、
前記複数の回線接続装置は前記仮想時分割スイッチとも所定のネットワークを介して接続され、
所定のネットワークが介在しない環境下において前記制御装置が前記仮想時分割スイッチを介さずに前記複数の回線接続装置を制御する際に用いる１つの実時分割スイッチとのインターフェース仕様を用いて、前記制御装置と前記仮想時分割スイッチとが接続されることを特徴とする端末接続システム。
【０１０７】
（付記１０）
制御装置と、
前記制御装置と接続される仮想時分割スイッチと、
相互に接続され且つ当該仮想時分割スイッチとも接続される複数の回線接続装置であって、そのそれぞれが１以上の端末を収容する複数の回線接続装置と、
を備え、
前記制御装置が、当該仮想時分割スイッチと所定のネットワークを介して、前記複数の回線接続装置を制御することにより、前記複数の回線接続装置の配下にある端末同士を、それらの端末が同一の回線接続装置の配下にあるか、相互に異なった回線接続装置の配下にあるかに関係なく接続する端末接続システムに含まれる仮想時分割スイッチであって、
前記制御装置と、前記制御装置が当該仮想時分割スイッチも前記所定のネットワークも介さずに前記複数の回線接続装置を制御する際に用いる１つの実時分割スイッチとのインターフェース仕様を用いて接続されることを特徴とする仮想時分割スイッチ。
【０１０８】
（付記１１）
付記１０に記載の仮想時分割スイッチであって、
前記端末接続システムは、
前記複数の回線接続装置にそれぞれ対応する複数の個別コントロールメモリと、
前記制御装置が、前記複数の回線接続装置全体についての１つの個別コントロールメモリとして扱える集合コントロールメモリと、
を更に備え、
当該仮想時分割スイッチは、前記端末同士の接続のために、前記制御装置により前記集合コントロールメモリに書き込まれたデータに基づき、少なくとも１つの前記回線接続装置にそれぞれ対応する少なくとも１つの前記個別コントロールメモリに書き込まれるべきデータを求め、そのデータを前記少なくとも１つの個別コントロールメモリに書き込む手段を備えることを特徴とする仮想時分割スイッチ。
【０１０９】
（付記１２）
付記１１に記載の仮想時分割スイッチであって、
何れかの同一の前記回線接続装置の配下にある第１の端末と前記何れかの同一の回線接続装置の配下にある第２の端末とを接続するべきであることを、前記集合コントロールメモリに書き込まれたデータに基づき判断した場合には、前記何れかの同一の回線接続装置に対応する個別コントロールメモリに前記第１の端末と前記第２の端末とを接続するためのデータを書き込む手段を備えることを特徴とする仮想時分割スイッチ。
【０１１０】
（付記１３）
付記１２に記載の仮想時分割スイッチであって、
前記集合コントロールメモリの前記第１の端末に対応するエントリに前記第２の端末に対応するエントリの識別情報が書き込まれていて、及び／又は、前記集合コントロールメモリの前記第２の端末に対応するエントリに前記第１の端末に対応するエントリの識別情報が書き込まれていて、且つ、
前記集合コントールメモリの前記第１の端末に対応するエントリに対応する前記回線接続装置の識別情報と、前記集合コントロールメモリの前記第２の端末に対応するエントリに対応する前記回線接続装置の識別情報とが同一である場合に、
その識別情報により示される接続装置を前記何れかの同一の前記回線接続装置とし、該同一の回線接続装置の配下にある第１の端末と前記同一の回線接続装置の配下にある第２の端末とを接続するべきであると判断する手段を備えることを特徴とする仮想時分割スイッチ。
【０１１１】
（付記１４）
付記１２又は１３に記載の仮想時分割スイッチであって、
前記第１の端末と前記第２の端末とを接続するためのデータは、前記何れかの同一の回線接続装置に対応する個別コントロールメモリの前記第１の端末に対応するエントリに書き込まれる前記第２の端末に対応するエントリの識別情報、及び／又は、前記何れかの同一の回線接続装置に対応する前記個別コントロールメモリの前記第２の端末に対応するエントリに書き込まれる前記第１の端末に対応するエントリの識別情報であること特徴とする仮想時分割スイッチ。
【０１１２】
（付記１５）
付記１１乃至１４の何れか１に記載の仮想時分割スイッチであって、
第１の前記回線接続装置の配下にある第３の端末と第２の前記回線接続装置の配下にある第４の端末とを接続するべきであることを、前記集合コントロールメモリに書き込まれたデータに基づき判断した場合には、前記第１の回線接続装置に対応する個別コントロールメモリと前記第２の回線接続装置に対応する個別コントロールメモリに前記第３の端末と前記第４の端末とを接続するためのデータを書き込む手段を備えることを特徴とする仮想時分割スイッチ。
【０１１３】
（付記１６）
付記１５に記載の仮想時分割スイッチであって、
前記集合コントロールメモリの前記第３の端末に対応するエントリに前記第４の端末に対応するエントリの識別情報が書き込まれていて、及び／又は、前記集合コントロールメモリの前記第４の端末に対応するエントリに前記第３の端末に対応するエントリの識別情報が書き込まれていて、且つ、
前記集合コントールメモリの前記第３の端末に対応するエントリに対応する前記回線接続装置の識別情報と、前記集合コントロールメモリの前記第４の端末に対応するエントリに対応する前記回線接続装置の識別情報とが異なる場合に、
一方の識別情報により示される接続装置を前記第１の前記回線接続装置とし、他方の識別情報により示される接続装置を前記第２の前記回線接続装置とし、前記第１の前記回線接続装置の配下にある前記第３の端末と前記第２の前記回線接続装置の配下にある前記第４の端末とを接続するべきであると判断する手段を備えることを特徴とする仮想時分割スイッチ。
【０１１４】
（付記１７）
付記１５又は１６に記載の仮想時分割スイッチであって、
前記第３の端末と前記第４の端末とを接続するためのデータは、
前記第１の回線接続装置に対応する個別コントロールメモリの前記第３の端末に対応するエントリに書き込まれる、前記第１の回線接続装置に備わる通信部であって前記第２の回線接続装置と通信をするための通信部に対応するエントリの識別情報、及び／又は、前記第１の回線接続装置に対応する個別コントロールメモリの前記第１の回線接続装置に備わる通信部であって前記第２の回線接続装置と通信をするための通信部に対応するエントリに書き込まれる、前記第３の端末に対応するエントリの識別情報、及び、
前記第２の回線接続装置に対応する個別コントロールメモリの前記第４の端末に対応するエントリに書き込まれる、前記第２の回線接続装置に備わる通信部であって前記第１の回線接続装置と通信をするための通信部に対応するエントリの識別情報、及び／又は、前記第２の回線接続装置に対応する個別コントロールメモリの前記第２の回線接続装置に備わる通信部であって前記第１の回線接続装置と通信をするための通信部に対応するエントリに書き込まれる、前記第４の端末に対応するエントリの識別情報
であることを特徴とする仮想時分割スイッチ。
【０１１５】
（付記１８）
付記１０乃至１７の何れか１に記載の仮想時分割スイッチであって、
前記複数の回線接続装置は相互に所定のネットワークを介して接続され、
前記複数の回線接続装置は当該仮想時分割スイッチとも所定のネットワークを介して接続され、
所定のネットワークが介在しない環境下において前記制御装置が当該仮想時分割スイッチを介さずに前記複数の回線接続装置を制御する際に用いる１つの実時分割スイッチとのインターフェース仕様を用いて、前記制御装置と接続されることを特徴とする仮想時分割スイッチ。
【０１１６】
（付記１９）
制御装置と、
前記制御装置と接続される仮想時分割スイッチと、
相互に接続され且つ当該仮想時分割スイッチとも接続される複数の回線接続装置であって、そのそれぞれが１以上の端末を収容する複数の回線接続装置と、
を備え、
前記制御装置が、当該仮想時分割スイッチと所定のネットワークを介して、前記複数の回線接続装置を制御することにより、前記複数の回線接続装置の配下にある端末同士を、それらの端末が同一の回線接続装置の配下にあるか、相互に異なった回線接続装置の配下にあるかに関係なく接続する端末接続システムに含まれる仮想時分割スイッチにより行なわれる端末接続方法であって、
前記制御装置が当該仮想時分割スイッチも前記所定のネットワークも介さずに前記複数の回線接続装置を制御する際に用いる１つの実時分割スイッチとのインターフェース仕様を用いて当該仮想時分割スイッチに接続された前記制御装置からの命令に従って、当該仮想時分割スイッチが、前記端末同士を接続するための制御を前記所定のネットワークを介して少なくとも１つの前記回線接続装置に対して行なうことを特徴とする端末接続方法。
【０１１７】
（付記２０）
付記１９に記載の端末接続方法であって、
前記端末接続システムは、
前記複数の回線接続装置にそれぞれ対応する複数の個別コントロールメモリと、
前記制御装置が、前記複数の回線接続装置全体についての１つの個別コントロールメモリとして扱える集合コントロールメモリと、
を更に備え、
当該仮想時分割スイッチが、前記端末同士の接続のために、前記制御装置により前記集合コントロールメモリに書き込まれたデータに基づき、少なくとも１つの前記回線接続装置にそれぞれ対応する少なくとも１つの前記個別コントロールメモリに書き込まれるべきデータを求め、そのデータを前記少なくとも１つの個別コントロールメモリに書き込むステップを有することを特徴とする端末接続方法。
【０１１８】
（付記２１）
付記２０に記載の端末接続方法であって、
当該仮想時分割スイッチが、何れかの同一の前記回線接続装置の配下にある第１の端末と前記何れかの同一の回線接続装置の配下にある第２の端末とを接続するべきであることを、前記集合コントロールメモリに書き込まれたデータに基づき判断した場合には、前記何れかの同一の回線接続装置に対応する個別コントロールメモリに前記第１の端末と前記第２の端末とを接続するためのデータを書き込むステップを有することを特徴とする端末接続方法。
【０１１９】
（付記２２）
付記２１に記載の端末接続方法であって、
当該仮想時分割スイッチが、
前記集合コントロールメモリの前記第１の端末に対応するエントリに前記第２の端末に対応するエントリの識別情報が書き込まれていて、及び／又は、前記集合コントロールメモリの前記第２の端末に対応するエントリに前記第１の端末に対応するエントリの識別情報が書き込まれていて、且つ、
前記集合コントールメモリの前記第１の端末に対応するエントリに対応する前記回線接続装置の識別情報と、前記集合コントロールメモリの前記第２の端末に対応するエントリに対応する前記回線接続装置の識別情報とが同一である場合に、
その識別情報により示される接続装置を前記何れかの同一の前記回線接続装置とし、該同一の回線接続装置の配下にある第１の端末と前記同一の回線接続装置の配下にある第２の端末とを接続するべきであると判断するステップを有することを特徴とする端末接続方法。
【０１２０】
（付記２３）
付記２１又は２２に記載の端末接続方法であって、
前記第１の端末と前記第２の端末とを接続するためのデータは、前記何れかの同一の回線接続装置に対応する個別コントロールメモリの前記第１の端末に対応するエントリに書き込まれる前記第２の端末に対応するエントリの識別情報、及び／又は、前記何れかの同一の回線接続装置に対応する前記個別コントロールメモリの前記第２の端末に対応するエントリに書き込まれる前記第１の端末に対応するエントリの識別情報であること特徴とする端末接続方法。
【０１２１】
（付記２４）
付記２０乃至２３の何れか１に記載の端末接続方法であって、
当該仮想時分割スイッチが、
第１の前記回線接続装置の配下にある第３の端末と第２の前記回線接続装置の配下にある第４の端末とを接続するべきであることを、前記集合コントロールメモリに書き込まれたデータに基づき判断した場合には、前記第１の回線接続装置に対応する個別コントロールメモリと前記第２の回線接続装置に対応する個別コントロールメモリに前記第３の端末と前記第４の端末とを接続するためのデータを書き込むステップを有することを特徴とする端末接続方法。
【０１２２】
（付記２５）
付記２４に記載の端末接続方法であって、
当該仮想時分割スイッチが、
前記集合コントロールメモリの前記第３の端末に対応するエントリに前記第４の端末に対応するエントリの識別情報が書き込まれていて、及び／又は、前記集合コントロールメモリの前記第４の端末に対応するエントリに前記第３の端末に対応するエントリの識別情報が書き込まれていて、且つ、
前記集合コントールメモリの前記第３の端末に対応するエントリに対応する前記回線接続装置の識別情報と、前記集合コントロールメモリの前記第４の端末に対応するエントリに対応する前記回線接続装置の識別情報とが異なる場合に、
一方の識別情報により示される接続装置を前記第１の前記回線接続装置とし、他方の識別情報により示される接続装置を前記第２の前記回線接続装置とし、前記第１の前記回線接続装置の配下にある前記第３の端末と前記第２の前記回線接続装置の配下にある前記第４の端末とを接続するべきであると判断するステップを有することを特徴とする端末接続方法。
【０１２３】
（付記２６）
付記２４又は２５に記載の端末接続方法であって、
前記第３の端末と前記第４の端末とを接続するためのデータは、
前記第１の回線接続装置に対応する個別コントロールメモリの前記第３の端末に対応するエントリに書き込まれる、前記第１の回線接続装置に備わる通信部であって前記第２の回線接続装置と通信をするための通信部に対応するエントリの識別情報、及び／又は、前記第１の回線接続装置に対応する個別コントロールメモリの前記第１の回線接続装置に備わる通信部であって前記第２の回線接続装置と通信をするための通信部に対応するエントリに書き込まれる、前記第３の端末に対応するエントリの識別情報、及び、
前記第２の回線接続装置に対応する個別コントロールメモリの前記第４の端末に対応するエントリに書き込まれる、前記第２の回線接続装置に備わる通信部であって前記第１の回線接続装置と通信をするための通信部に対応するエントリの識別情報、及び／又は、前記第２の回線接続装置に対応する個別コントロールメモリの前記第２の回線接続装置に備わる通信部であって前記第１の回線接続装置と通信をするための通信部に対応するエントリに書き込まれる、前記第４の端末に対応するエントリの識別情報
であることを特徴とする端末接続方法。
【０１２４】
（付記２７）
付記１９乃至２６の何れか１に記載の端末接続方法であって、
前記複数の回線接続装置は相互に所定のネットワークを介して接続され、
前記複数の回線接続装置は当該仮想時分割スイッチとも所定のネットワークを介して接続され、
所定のネットワークが介在しない環境下において前記制御装置が当該仮想時分割スイッチを介さずに前記複数の回線接続装置を制御する際に用いる１つの実時分割スイッチとのインターフェース仕様を用いて、当該仮想時分割スイッチと前記制御装置とが接続されることを特徴とする端末接続方法。
【０１２５】
（付記２８）
制御装置と、
前記制御装置と接続される仮想時分割スイッチと、
相互に接続され且つ当該仮想時分割スイッチとも接続される複数の回線接続装置であって、そのそれぞれが１以上の端末を収容する複数の回線接続装置と、
を備え、
前記制御装置が、当該仮想時分割スイッチと所定のネットワークを介して、前記複数の回線接続装置を制御することにより、前記複数の回線接続装置の配下にある端末同士を、それらの端末が同一の回線接続装置の配下にあるか、相互に異なった回線接続装置の配下にあるかに関係なく接続する端末接続システムに含まれる仮想時分割スイッチであって、
前記制御装置と、前記制御装置が当該仮想時分割スイッチも前記所定のネットワークも介さずに前記複数の回線接続装置を制御する際に用いる１つの実時分割スイッチとのインターフェース仕様を用いて接続される仮想時分割スイッチ、
としてコンピュータを機能させるための仮想時分割スイッチ用プログラム。
【０１２６】
（付記２９）
付記２８に記載の仮想時分割スイッチ用プログラムであって、
前記端末接続システムは、
前記複数の回線接続装置にそれぞれ対応する複数の個別コントロールメモリと、
前記制御装置が、前記複数の回線接続装置全体についての１つの個別コントロールメモリとして扱える集合コントロールメモリと、
を更に備え、
コンピュータを、更に、
前記端末同士の接続のために、前記制御装置により前記集合コントロールメモリに書き込まれたデータに基づき、少なくとも１つの前記回線接続装置にそれぞれ対応する少なくとも１つの前記個別コントロールメモリに書き込まれるべきデータを求め、そのデータを前記少なくとも１つの個別コントロールメモリに書き込む手段として機能させるための仮想時分割スイッチ用プログラム。
【０１２７】
（付記３０）
付記２９に記載の仮想時分割スイッチ用プログラムであって、
コンピュータを、更に、
何れかの同一の前記回線接続装置の配下にある第１の端末と前記何れかの同一の回線接続装置の配下にある第２の端末とを接続するべきであることを、前記集合コントロールメモリに書き込まれたデータに基づき判断した場合には、前記何れかの同一の回線接続装置に対応する個別コントロールメモリに前記第１の端末と前記第２の端末とを接続するためのデータを書き込む手段として機能させるための仮想時分割スイッチ用プログラム。
【０１２８】
（付記３１）
付記３０に記載の仮想時分割スイッチ用プログラムであって、
コンピュータを、更に、
前記集合コントロールメモリの前記第１の端末に対応するエントリに前記第２の端末に対応するエントリの識別情報が書き込まれていて、及び／又は、前記集合コントロールメモリの前記第２の端末に対応するエントリに前記第１の端末に対応するエントリの識別情報が書き込まれていて、且つ、
前記集合コントールメモリの前記第１の端末に対応するエントリに対応する前記回線接続装置の識別情報と、前記集合コントロールメモリの前記第２の端末に対応するエントリに対応する前記回線接続装置の識別情報とが同一である場合に、
その識別情報により示される接続装置を前記何れかの同一の前記回線接続装置とし、該同一の回線接続装置の配下にある第１の端末と前記同一の回線接続装置の配下にある第２の端末とを接続するべきであると判断する手段として機能させるための仮想時分割スイッチ用プログラム。
【０１２９】
（付記３２）
付記３０又は３１に記載の仮想時分割スイッチ用プログラムであって、
前記第１の端末と前記第２の端末とを接続するためのデータは、前記何れかの同一の回線接続装置に対応する個別コントロールメモリの前記第１の端末に対応するエントリに書き込まれる前記第２の端末に対応するエントリの識別情報、及び／又は、前記何れかの同一の回線接続装置に対応する前記個別コントロールメモリの前記第２の端末に対応するエントリに書き込まれる前記第１の端末に対応するエントリの識別情報であること特徴とする仮想時分割スイッチ用プログラム。
【０１３０】
（付記３３）
付記２９乃至３２の何れか１に記載の仮想時分割スイッチ用プログラムであって、
コンピュータを、更に、
第１の前記回線接続装置の配下にある第３の端末と第２の前記回線接続装置の配下にある第４の端末とを接続するべきであることを、前記集合コントロールメモリに書き込まれたデータに基づき判断した場合には、前記第１の回線接続装置に対応する個別コントロールメモリと前記第２の回線接続装置に対応する個別コントロールメモリに前記第３の端末と前記第４の端末とを接続するためのデータを書き込む手段として機能させるための仮想時分割スイッチ用プログラム。
【０１３１】
（付記３４）
付記３３に記載の仮想時分割スイッチ用プログラムであって、
コンピュータを、更に、
前記集合コントロールメモリの前記第３の端末に対応するエントリに前記第４の端末に対応するエントリの識別情報が書き込まれていて、及び／又は、前記集合コントロールメモリの前記第４の端末に対応するエントリに前記第３の端末に対応するエントリの識別情報が書き込まれていて、且つ、
前記集合コントールメモリの前記第３の端末に対応するエントリに対応する前記回線接続装置の識別情報と、前記集合コントロールメモリの前記第４の端末に対応するエントリに対応する前記回線接続装置の識別情報とが異なる場合に、
一方の識別情報により示される接続装置を前記第１の前記回線接続装置とし、他方の識別情報により示される接続装置を前記第２の前記回線接続装置とし、前記第１の前記回線接続装置の配下にある前記第３の端末と前記第２の前記回線接続装置の配下にある前記第４の端末とを接続するべきであると判断する手段として機能させるための仮想時分割スイッチ用プログラム。
【０１３２】
（付記３５）
付記３３又は３４に記載の仮想時分割スイッチ用プログラムであって、
前記第３の端末と前記第４の端末とを接続するためのデータは、
前記第１の回線接続装置に対応する個別コントロールメモリの前記第３の端末に対応するエントリに書き込まれる、前記第１の回線接続装置に備わる通信部であって前記第２の回線接続装置と通信をするための通信部に対応するエントリの識別情報、及び／又は、前記第１の回線接続装置に対応する個別コントロールメモリの前記第１の回線接続装置に備わる通信部であって前記第２の回線接続装置と通信をするための通信部に対応するエントリに書き込まれる、前記第３の端末に対応するエントリの識別情報、及び、
前記第２の回線接続装置に対応する個別コントロールメモリの前記第４の端末に対応するエントリに書き込まれる、前記第２の回線接続装置に備わる通信部であって前記第１の回線接続装置と通信をするための通信部に対応するエントリの識別情報、及び／又は、前記第２の回線接続装置に対応する個別コントロールメモリの前記第２の回線接続装置に備わる通信部であって前記第１の回線接続装置と通信をするための通信部に対応するエントリに書き込まれる、前記第４の端末に対応するエントリの識別情報
であることを特徴とする仮想時分割スイッチ用プログラム。
【０１３３】
（付記３６）
付記２８乃至３５の何れか１に記載の仮想時分割スイッチ用プログラムであって、
前記複数の回線接続装置は相互に所定のネットワークを介して接続され、
前記複数の回線接続装置は当該仮想時分割スイッチとも所定のネットワークを介して接続され、
所定のネットワークが介在しない環境下において前記制御装置が当該仮想時分割スイッチを介さずに前記複数の回線接続装置を制御する際に用いる１つの実時分割スイッチとのインターフェース仕様を用いて、前記制御装置と接続されることを特徴とする仮想時分割スイッチ用プログラム。
【産業上の利用可能性】
【０１３４】
本発明は、端末同士を回線接続装置を介して接続するために利用することができる。
【符号の説明】
【０１３５】
１００  制御装置
１０１  仮想時分割スイッチ
１０４ａ、１０４ｂ  レガシー回線接続装置
１０５ａ、１０５ｂ、１０５ｃ  レガシー端末
１１０  集合コントロールメモリ
１１３ａ、１１３ｂ  個別コントロールメモリ
【図１】
0005603375.tif 000002
【図２】
0005603375.tif 000003
【図３】
0005603375.tif 000004
【図４】
0005603375.tif 000005
【図５】
0005603375.tif 000006
【図６】
0005603375.tif 000007